(57)【要約】      （修正有）【課題】有機樹脂製の着色料を用いた哺乳瓶を、図案に悪影響を与えることなく殺菌できる哺乳瓶消毒器具を提供する。【解決手段】有機樹脂製の着色料を用いた哺乳瓶と、哺乳瓶をセットして煮沸消毒可能なシリコンケースとを備える。煮沸消毒時に、哺乳瓶をシリコンケースに入れ、哺乳瓶に触れる温度を一定以下にすることで、有機樹脂の着色料への影響を抑えることができる。【選択図】図１２
0003217170.tif 000002
【実用新案登録請求の範囲】
【請求項１】
有機樹脂製の着色料を用いた哺乳瓶と、
前記哺乳瓶をセットし、煮沸消毒可能なシリコンケースとを備える哺乳瓶消毒器具。
【請求項２】
請求項１に記載の哺乳瓶消毒器具において、
前記シリコンケースは、略長方形であり、
前記哺乳瓶を固定するための凹部を設けていることを特徴とする哺乳瓶消毒器具。
【請求項３】
請求項２に記載の哺乳瓶消毒器具において、
前記凹部は、複数設けられていることを特徴とする哺乳瓶消毒器具。
【請求項４】
請求項２または請求項３に記載の哺乳瓶消毒器具において、
前記凹部は、厚さが５ミリメートル以下であることを特徴とする哺乳瓶消毒器具。
【考案の詳細な説明】
【技術分野】
【０００１】
本考案は、哺乳瓶消毒器具に関する。
【背景技術】
【０００２】
従来、哺乳瓶などの陶磁器、ガラス食器における着色・印刷加工は、岩や自然界にあるものを砕き、すり潰して、有機溶剤、樹脂、鉛で溶いて高温焼成（陶磁器８００°Ｃ以上、ガラス６００°Ｃ以上）で焼成することで鉛が溶けて、陶磁器、ガラスの表面に定着をするという加工方法が一般的に利用されてきた。
【０００３】
国内で哺乳瓶などの食器を取り扱う際、基準となる法令として食品衛生法がある。食品衛生法の中で食器における基準値は、酸に対する鉛、カドミウムの溶出量に対して、容量や形状による基準値が決められている。
【０００４】
一方で海外の事例として、アメリカのカルフォルニア州の基準においてはＦＤＡ（Ｆｏｏｄ  ａｎｄ  Ｄｒｕｇ  Ａｄｍｉｎｉｓｔｒａｔｉｏｎ）によって鉛、カドミウムの量が数値化されているが、基本的に無鉛の方向性となっている。
【０００５】
このため、鉛やカドミウムなどの重金属を含まない安全性の高い着色料を用いた哺乳瓶が求められている。このような着色料として、例えば、有機樹脂製の絵の具がある。
【０００６】
有機樹脂の着色料は、絵の具の粒子が細かいため、使用するスクリーンのメッシュが非常に細かいものとなり、従来のガラスの分解版や、グラデーションなどを用いた場合に起こり得る粗いドット表現を抑え、細かな表現が可能になる。また、従来の重金属を用いた着色料と比較して、より明るく鮮やかな色彩を提供できる。
【０００７】
このため、有機樹脂の着色料を用いることによって、色鮮やかで表現力が豊かかつ安全性の高い哺乳瓶を提供することができる。
【先行技術文献】
【特許文献】
【０００８】
【特許文献１】特開２００７−８５１４７
【考案の概要】
【考案が解決しようとする課題】
【０００９】
しかしながら、有機樹脂製の着色料は、加工の特性上耐熱温度が低く、レンジ、オーブン、直火などに弱いという欠点があった。哺乳瓶は、煮沸による殺菌処理を行うことが多く、現状の有機樹脂製の着色料を使用した哺乳瓶を直接煮沸消毒した場合、哺乳瓶の図案に悪影響を与えてしまう。
【００１０】
このため、有機樹脂製の着色料を用いた哺乳瓶を、図案に悪影響を与えることなく煮沸消毒できるものが求められていた。
【課題を解決するための手段】
【００１１】
有機樹脂製の着色料を用いた哺乳瓶と、
前記哺乳瓶をセットし、煮沸消毒可能なシリコンケースとを備える哺乳瓶消毒器具。
【００１２】
請求項１に記載の哺乳瓶消毒器具において、
前記シリコンケースは、略長方形であり、
前記哺乳瓶を固定するための凹部を設けていることを特徴とする哺乳瓶消毒器具。
【００１３】
請求項２に記載の哺乳瓶消毒器具において、
前記凹部は、複数設けられていることを特徴とする哺乳瓶消毒器具。
【００１４】
請求項２または請求項３に記載の哺乳瓶消毒器具において、
前記凹部は、厚さが５ミリメートル以下であることを特徴とする哺乳瓶消毒器具。
【００１５】
このように、煮沸消毒時に、哺乳瓶をシリコンケースに入れ、哺乳瓶に触れる温度を一定以下にすることで、有機樹脂の着色料への影響を抑えることができる。
【図面の簡単な説明】
【００１６】
【図１】本考案の実施形態にかかる哺乳瓶消毒器具の斜視図である。
【図２】本考案の実施形態にかかる哺乳瓶消毒器具の柱の拡大図である。
【図３】本考案の実施形態にかかる哺乳瓶消毒器具の断面図である。
【図４】本考案の実施形態にかかる哺乳瓶消毒器具の斜視図である。
【図５】本考案の実施形態にかかる哺乳瓶消毒器具の左正面図である。
【図６】本考案の実施形態にかかる哺乳瓶消毒器具の平面図である。
【図７】本考案の実施形態にかかる哺乳瓶消毒器具の右正面図である。
【図８】本考案の実施形態にかかる哺乳瓶消毒器具の底面図である。
【図９】本考案の実施形態にかかる哺乳瓶消毒器具の側面図である。
【図１０】本考案の実施形態にかかる哺乳瓶消毒器具の斜視図である。
【図１１】本考案の実施形態にかかる哺乳瓶消毒器具の左正面図である。
【図１２】本考案の実施形態にかかる哺乳瓶消毒器具の斜視図である。
【図１３】本考案の実施形態にかかる哺乳瓶消毒器具の平面図である。
【図１４】本考案の実施形態にかかる哺乳瓶消毒器具の斜視図である。
【図１５】本考案の実施形態にかかる哺乳瓶消毒器具の平面図である。
【考案を実施するための形態】
【００１７】
図１は、本考案の実施形態にかかる哺乳瓶消毒器具の斜視図である。図１に示すように、哺乳瓶消毒器具のシリコンケース１の外径の長手方向は、１９０ミリメートルであり、底面の短手方向は、６０ミリメートルである。また、シリコンケース１の高さは、４５ミリメートルである。哺乳瓶２の保持部の幅は、７０ミリメートルであり、保持部は、直径４５ミリメートルである。また、図２に示すように、各角の柱２０は、厚みが１ミリメートルで、長さが３ミリメートルである。また、長手方向の壁に設けられている柱２４は、厚みが１ミリメートルで、長さが３ミリメートルである。さらに、各柱２０、柱２２の上に４ミリメートル幅の返し２４が形成されている。なお、シリコンケース１は耐熱性のシリコンで形成されている。
【００１８】
図３は、シリコンケース１をタテに中心で切った時の断面図である。図３に示すように、底面に幅２ミリメートルの突起による脚部３２があり、さらに、２ミリ幅で高さ１ミリメートルの突起３０が５つ形成されている。
【００１９】
図４は、図５、図６、図７、図８、図９の方向を説明するための斜視図である。図４の（１）左から見た図が、図５である。図４の（２）上から見た図が、図６である。図４の（３）右から見た図が、図７である。図４の（４）下から見た図が、図８である。図４の（５）横から見た図が、図９である。
【００２０】
図５は、左正面から見た図である。図５に示すように、シリコンケース１は、上が長い略台形の形状で、略Ｕの字型の開口部が形成されている。高さは４５ミリメートルであり、上の幅は７０ミリメートル、底面の幅は６０ミリメートルである。開口部の直径は４５ミリメートルで、略Ｕの字の下部は、底面から５ミリメートル離れた場所に形成されている。また、柱２０は４本形成されている。
【００２１】
図６は、上から見た図である。図６に示すように、シリコンケース１は、上部の縁はシリコンケース１を囲むように形成され、幅４ミリメートルの返し２４が形成されている。また、底面には長さ５０ミリメートル、幅２ミリメートル、高さ１ミリメートルの線状の突起３０が５つ形成されている。なお、線状の突起３０は、哺乳瓶２が固定しやすいように中央部が凹形状に形成されてもよい。
【００２２】
図７は、右正面から見た図である。図７に示すように、シリコンケース１は、上が長い略台形の形状で形成されている。高さは４５ミリメートルであり、上の幅は７０ミリメートル、底面の幅は６０ミリメートルである。
【００２３】
図８は、底面から見た図である。図８に示すように、シリコンケース１は、外縁から内側５ミリメートルに幅２ミリメートルで高さ１ミリメートルほどの突起による脚部３２が形成されている。ただし、空気がたまらないように図８に示すように脚部３２は途中で途切れている。
【００２４】
図９は、側面から見た図である。図９に示すように、シリコンケース１は、略長方形状に形成され、上面も底面も長さが１９０ミリメートル、高さ４５ミリメートルに形成されている。グレーの５本の棒は柱２２である。
【００２５】
図１０、図１１、図１２、図１３、図１４、図１５は、哺乳瓶消毒器具の使用方法を示す。図１０、図１１は、シリコンケース１である。なお、図１２、図１３は、持ち運びなどする際に、シリコンケース１に哺乳瓶２をセットした場合の説明図である。哺乳瓶２を煮沸消毒する際には、図１４、図１５に示すように、哺乳瓶２の吸い口を外し、シリコンケース１に入れる。なお、シリコンケース１の内部に設けられた突起部が凹となることによって、哺乳瓶２が煮沸消毒中に安定するとともに、シリコンケース１との接触面も減らすことができる。
【００２６】
哺乳瓶２をシリコンケース１に挿入したまま煮沸器具に入れ、煮沸消毒する。このように、有機樹脂製の着色料を用いた哺乳瓶２が煮沸器具に直接触れず、シリコンケース１とも突起の部分にしか接触しない。このため、高温となった煮沸器具によって、哺乳瓶２が用いた有機樹脂製の着色料が変色や退色するなど悪影響を受けることを防ぐことができる。
【図１】
0003217170.tif 000003
【図２】
0003217170.tif 000004
【図３】
0003217170.tif 000005
【図４】
0003217170.tif 000006
【図５】
0003217170.tif 000007
【図６】
0003217170.tif 000008
【図７】
0003217170.tif 000009
【図８】
0003217170.tif 000010
【図９】
0003217170.tif 000011
【図１０】
0003217170.tif 000012
【図１１】
0003217170.tif 000013
【図１２】
0003217170.tif 000014
【図１３】
0003217170.tif 000015
【図１４】
0003217170.tif 000016
【図１５】
0003217170.tif 000017